(57)【要約】【課題】故人や死んだペットの縁者が、より故人や死んだペットを偲ぶことができ、またより充分なやすらぎ感や一体感、安心感を得ることが可能な記念品及びその製造方法の提供を課題とする。【解決手段】透明材料からなる記念品本体１０の内部に、遺灰若しくは遺骨片或いはその両方をデザイン素材１１ａの全部若しくは１部としてなる模様を、内部模様１１として形成してある記念品である。その製造方法は、透明材料からなる模様作製用のカンバス部材を軟化状態或いは半溶融状態に加熱し、この加熱されたカンバス部材に、遺灰若しくは遺骨片或いはその両方を、デザイン素材の全部若しくは１部として、付着ないし埋め込むことにより模様を形成し、この模様を形成したカンバス部材を、同種若しくは異種の透明材料を溶解した成形型内の所定位置に浸漬し、加圧一体化することで記念品本体を成形する。【選択図】      図１
2008272136.tif 000002
【特許請求の範囲】
【請求項１】
透明材料からなる記念品本体の内部に、遺灰若しくは遺骨片或いはその両方をデザイン素材の全部若しくは１部としてなる模様を、内部模様として形成してあることを特徴とする記念品。
【請求項２】
透明材料からなる模様作製用のカンバス部材を軟化状態或いは半溶融状態に加熱し、この加熱されたカンバス部材に、遺灰若しくは遺骨片或いはその両方を、デザイン素材の全部若しくは１部として、付着ないし埋め込むことにより模様を形成し、この模様を形成したカンバス部材を、同種若しくは異種の透明材料を溶解した成形型内の所定位置に浸漬し、加圧一体化することで記念品本体を成形することを特徴とする記念品の製造方法。
【発明の詳細な説明】
【技術分野】
【０００１】
本発明は記念品及びその製造方法に関する。より詳しくは、記念たて、記念トロフィー、記念ブローチ等の記念装身具、その他、記念となる物品としての記念品とその製造方法に関する。
【背景技術】
【０００２】
故人や死んだペット等を偲ぶものとしては、遺品や遺影、位牌、墓等を一般に挙げることができる。
また特開２０００−２１７６９５号（特許文献１）には、ペット用記念碑が開示されている。このペット用記念碑では、基台２に遺物収納凹部７が設けられ、その上に遺影装着板４が設けられる構成とされている。
また実用新案登録第３０８５５３２号（特許文献２）、実用新案登録第３０８７３４７号（特許文献３）には、ペット記念物セットが開示されている。このペット記念物セットでは、遺骨等と共にペット記念物５を装飾箱４に収める構成とされている。
また特開２００３−２０１１６８号（特許文献４）には、ペット記念物前駆体及びペット記念物が開示されている。
また特開２００６−６８２１４号（特許文献５）には、人物やペット等の塑像が開示されている。この塑像は、遺骨や遺品等を納める記念品収納部１５を設けた台座部分１３と、この台座部分の上に搭載した人物やペット等の塑像部分１１とから構成されている。
【特許文献１】特開２０００−２１７６９５号公報
【特許文献２】実用新案登録第３０８５５３２号公報
【特許文献３】実用新案登録第３０８７３４７号公報
【特許文献４】特開２００３−２０１１６８号公報
【特許文献５】特開２００６−６８２１４号公報
【発明の開示】
【発明が解決しようとする課題】
【０００３】
しかしながら、上記の特許文献１のペット用記念碑では、遺灰、遺骨等の遺物は単に基台２の遺物収容の遺物収納凹部７に収容されるだけの構成にすぎない。また記念碑の本体となる遺影装着板４は単に遺影が装着されるだけの構成にすぎない。
また上記の特許文献２、３のペット記念物セットでは、装飾箱４に対して遺骨等とペット記念物５とがそれぞれ別々に収容されるにすぎない構成である。またペット記念物５は、単なる文字や模様が表面に施されるだけの構成にすぎない。
また上記特許文献４のペット記念物前駆体及びペット記念物は、やはり記念物の表面に単なる文字や模様が施されるだけの構成にすぎない。
更に上記特許文献５の人物やペット等の塑像は、台座部分１３に遺骨や遺品等を納める単なる記念品収納部１５を設け、台座部分の上に人物やペット等の単なる塑像１１を設けただけのものである。
即ち上記特許文献１〜５の発明においては、遺骨、遺灰については、何らそれらを加工するといった考えがなく、遺骨、遺灰を、あるがままに、そのまま、台座等の収容箇所に収容するという技術思想があるだけである。そして台座上に配置等される記念品本体についても、その本体の構成ないし作製に関しては、一般的な描画素材を用いて文字や模様或いは写真等を単に施すだけであって、何ら遺骨や遺灰等を用いてそれら本体の作製の一部を担うという考え方はなされていない。このため、これら従来の記念碑、記念物、記念塑像等は、故人や死んだペットを偲ぶものとしては、どこか物足らないものであり、また神秘で縁の深い素材による模様をもって縁者に充分なやすらぎ感や一体感、或いは安心感を与えることができないものであった。
【０００４】
そこで本発明は上記従来の記念碑や記念物等における欠点を解消し、故人や死んだペットの縁者が、より故人や死んだペットを偲ぶことができ、またより充分なやすらぎ感や一体感、安心感を得ることが可能な記念品及びその製造方法の提供を課題とする。
【課題を解決するための手段】
【０００５】
上記課題を達成するため、本発明の記念品は、透明材料からなる記念品本体の内部に、遺灰若しくは遺骨片或いはその両方をデザイン素材の全部若しくは１部としてなる模様を、内部模様として形成してあることを特徴としている。
また本発明の記念品の製造方法は、透明材料からなる模様作製用のカンバス部材を軟化状態或いは半溶融状態に加熱し、この加熱されたカンバス部材に、遺灰若しくは遺骨片或いはその両方を、デザイン素材の全部若しくは１部として、付着ないし埋め込むことにより模様を形成し、この模様を形成したカンバス部材を、同種若しくは異種の透明材料を溶解した成形型内の所定位置に浸漬し、加圧一体化することで記念品本体を成形することを特徴としている。
【発明の効果】
【０００６】
請求項１に記載の記念品によれば、透明材料からなる記念品本体は、その内部に内部模様が形成されており、該内部模様を外部から見ることができる。内部模様は、遺灰、遺骨をデザイン素材として或いはデザイン素材の１部として形成される。内部模様の素材に故人や死んだペットの遺灰や遺骨が用いられていることから、縁の者にとっては単に内部模様に美的な視覚的印象を得るだけではなく、それに相乗して、内部模様を見ることで、故人や死んだペットをより深く偲ぶことができる。また遺灰等を含む素材による内部模様を見る縁者にとって、より大きなやすらぎ感や一体感或いは安心感を与えることができる。
勿論、模様は、記念品本体の内部の模様として形成されているので、表面模様とは異なり、外部からは触れることができず、また剥離や摩耗等することなく、永遠性を発することができる。
【０００７】
また請求項２に記載の記念品の製造方法によれば、記念品本体を製造するのに、透明材料からなる模様作製用にカンバス部材が用意される。そしてこのカンバス部材を軟化状態或いは半溶融状態にした状態で、遺灰、遺骨を、デザイン素材として或いはデザイン素材の１部として、付着ないし埋め込んで模様を形成する。このようにして予め用意したカンバス部材に遺灰や遺骨を含むデザイン素材で模様を形成することで、デザインした通りの模様を正確に、また確実に作製することができる。
模様が作製されたカンバス部材を、同種若しくは異種の透明材料を溶解した成形型内の所定位置に浸漬し、加圧一体化することで、前記カンバス部材に作製された模様が内部模様として内包された記念品本体を確実に成形することができる。この場合、模様は予めカンバス部材に形成された状態で浸漬されるので、成形型内での成形中においても、その位置的変動が最小限に抑制され、よって模様が成形中に変形したり歪んだりすることなく、出来上がった成形体内に確実に且つ正確に現出される。
記念品本体の外形そのものは、前記成形型により所定の形状に自由に作製することができる。また加圧することで、カンバス部材とその外側の成形材との界面等に気泡等が残留するのが防止されると共に、緻密で精密な成形体を得ることができる。
よって請求項２に記載の記念品の製造方法によれば、遺灰や遺骨を用いた内部模様をカンバス部材に予め描くことで、種々の模様をデザイン設計に基づいて自由自在に且つ正確、精密に現出して、これを記念品本体内に内部模様として現出させることができる。しかも記念品本体が成形された後は内部模様やそれを構成する遺灰、遺骨が記念品本体から逸散し、或いは他人に触れられるようなことを確実に防止できる。
【発明を実施するための最良の形態】
【０００８】
図１は本発明の実施形態に係る記念品の斜視図である。また図２の（Ａ）〜（Ｇ）は本発明の実施形態に係る記念品の製造方法を説明する図である。
【０００９】
図１を参照して、本発明の実施形態に係る記念品を説明する。
この記念品は、記念たてとして構成されている。即ち、記念品本体である記念たて本体１０と基台２０とからなる。
記念たて本体１０は透明アクリル樹脂で構成している。透明アクリル樹脂には色付きの透明アクリル樹脂を含む。また半透明のアクリル樹脂を含む。
【００１０】
前記記念たて本体１０には、該本体１０内に内部模様１１が形成されている。
内部模様１１は、それを構成するデザイン素材１１ａとして、故人の遺灰、遺骨片の何れか一方若しくは両方を用いて形成している。前記遺骨片は、火葬処理後のもので、粒状やその他の種々の形状をもつ小片を含む概念である。前記内部模様１１を形成するデザイン素材１１ａとしては、前記故人の遺灰や遺骨片と共に他の素材を一緒に用いることができる。他の素材とは、絵具、顔料等の美術、工芸用に用いる種々の素材である。
前記内部模様１１そのものの外形、模様、色については特に限定されるものではなく、自由な形、模様、色にデザインすることができる。
なお前記遺灰や遺骨は、記念品（記念たて）を所有することになる者と縁のある人、ペットの遺灰、遺骨である。よって得られる記念たては、原則的にはオーダーメード品となる。
【００１１】
前記記念たて本体１０には、前記遺灰、遺骨をデザイン素材１１ａとして含む内部模様１１の他に、風景写真やその他の写真、物を併せて、封じ込めた状態に存在させることができる。
また記念たて本体１０の表面には、文字や図形、その他を印刷や彫刻等の表現手段を用いて表現することができる。
【００１２】
前記基台２０は、金属製、木製、樹脂製、その他の素材を用いて構成することができる。基台２０の上面に記念たて本体１０を固定することで、記念たてが完成される。前記記念たて本体１０と基台２０との固定は、接着、ネジ固定等、周知の方法で行うことができる。
【００１３】
上記において、記念たて本体１０は、アクリル樹脂製とする他、他の透明樹脂で構成することが可能である。また透明なガラスで構成することが可能である。また異なる２種類の樹脂を一体化した状態に構成することも可能である。またガラスと樹脂とが一体に組み合わされた構成も可能である。異種の材料を組み合わせることで、よりユニークな記念たて本体１０を構成することができる。要するに、記念たて本体１０は透明材料で構成されておればよい。ただしアクリル樹脂製とすることで、透明性、耐候性がよく、キズがつきにくいものが提供できる。
記念たて本体１０の外形状は特に限定されるものではなく、種々の形状に形成することができる。
同様に基台２０の形状も特に限定されるものではなく、記念たて本体１０を載置して固定できる機能を備えていることを条件として、種々の形状に形成することができる。
【００１４】
本発明の記念品は、上述した「たて」に限定されるものではない。トロフィー、その他、テーブルや棚等屋内に載置する載置品としての記念品であってもよい。またブローチ、その他の見飾品としての記念品であってもよい。見飾品としての記念品の場合は、内部模様を構成した記念品本体に対して、それを身体に取り付けるための補助具が、前記基台２０に代わって取り付けられることになる。
【００１５】
次に図２を参照して、本発明の実施形態に係る記念品の製造方法を説明する。
この実施形態では、アクリル樹脂を用いて、記念品である記念たてを製造する場合を説明する。
【００１６】
本発明の製造方法では、アクリル樹脂からなるカンバス部材１０ａを用意する。このカンバス部材１０ａは、上記した内部模様１１（図１参照）を予め作製するための部材である。本実施形態では板状のものを用いている。
先ずカンバス部材１０ａを、ヒータＨで軟化状態或いは半溶融状態に加熱する（図２の（Ａ））。
【００１７】
次に加熱されて軟化状態或いは半溶融状態となったカンバス部材１０ａに対して、デザイン素材１１ａを用いて模様を描く（図２の（Ｂ））。この模様は後に内部模様１１となる。
前記デザイン素材１１ａとしては、故人の遺灰を素材として用いる。また火葬した故人の遺骨片を素材として用いることができる。勿論、前記遺灰と遺骨片の両方をもってデザイン素材１１ａとすることができる。更にデザイン素材１１ａとしては、前記遺灰や遺骨片をデザイン素材の１部として、他の素材と共に用いることができる。他の素材としては、耐熱性のある絵具、粉粒状の鉱物、顔料等であるが、熱により大きく変性するようなものを除いて、種々の素材を用いることが可能である。
【００１８】
前記デザイン素材１１ａによる模様の形成は、遺灰や遺骨片の素材を軟化状態或いは半溶融状態となったカンバス部材１０ａに対して付着させ或いは埋め込むことにより行う。カンバス部材１０ａを軟化状態或いは半溶融状態とすることで、デザイン素材１１ａをカンバス部材１０ａに確実に固着させることができる。よって予めデザインした模様通りの模様を正確、精密に描くことができる。
【００１９】
前記カンバス部材１０ａにデザイン素材１１ａによる模様が形成されると（図２の（Ｃ））、この模様が形成されたカンバス部材１０ａを、予めアクリル樹脂を溶融させた成形型Ｍ内に浸漬する（図２の（Ｅ））。
前記成形型Ｍ内への浸漬に先立っては、必要に応じて、前記模様を形成したカンバス部材１０ａに合わせ部材１０ｂを重ね合わせ、これによってカンバス部材１０ａに形成した模様を合わせ部材１０ｂとの間に挟持させるようにしてもよい（図２の（Ｄ））。このようにすることで、前記成形型Ｍ内にカンバス部材１０ａを浸漬した際に、模様が容易に崩れるのを防止することができる。
成形型Ｍの成形空間の形状は、成形される記念たて本体１０の外形となることから、予めデザインした記念たて本体１０の形状に合せた成形空間としておく。
カンバス部材１０ａは、成形空間の予め定めた所定の位置に浸漬する。これによって、カンバス部材１０ａに形成された模様を、成形される記念たて本体１０の所定の内部位置に現出させることができる。
前記溶融アクリル樹脂の温度を何度とするかは、勿論、融解温度以上である必要があるが、後述する気泡等の追い出しに適当な温度であり、且つ浸漬されたカンバス部材１０ａが急速に溶融する等して、形成された模様の形等が大きく崩れてしまうようなことがない温度を、成形空間の形状や大きさ等を考慮して、決定することになる。
【００２０】
前記カンバス部材１０ａを成形型Ｍの所定位置に浸漬した後、合わせ型Ｍ１等によって成形型Ｍを密閉し、成形型Ｍ内を加圧する（図２の（Ｆ））。
前記成形型Ｍは、必要に応じて加熱可能として、成形型Ｍ内の成形空間（樹脂が入っている）を所定の温度に保温状態とすることができる。前記加圧により、成形空間内に存在する気泡が除去され、また浸漬されたカンバス部材１０ａと予め溶融されているアクリル樹脂とが、その境界が消失した状態に一体化する。
前記加圧の程度は、要するに気泡を溶融樹脂から追い出すことができるだけの圧力であればよい。成形空間の形状や大きさによって、適切な圧力が採用されることになる。
【００２１】
所定時間の保持後、冷却し、成形型Ｍの成形空間内の樹脂を固化させる。その後、成形された樹脂を成形型Ｍから取り出す。
取り出された樹脂は、必要に応じて、更に切削等の仕上げ処理を行い、所定の完成形状とする。これによって記念たて本体１０が完成する。
その後、完成された記念たて本体１０と基台２０とを固定することで、記念たてが完成する（図２の（Ｇ））。
【００２２】
上記において、カンバス部材１０ａは、必ずしも板状である必要はない。カンバス部材１０ａは、後で内部模様１１となる模様を予め形成するための部材であるから、立体的模様を形成する等、どのような模様を形成するかに応じて、それに適した立体形状を含む形状のカンバス部材１０ａを使用することができる。
またカンバス部材１０ａの材料としては、必ずしもアクリル樹脂を用いる必要はない。透明の他の樹脂を用いることが可能である。この場合、カンバス部材１０ａは記念たて本体１０の他の部分を占める材料と同じ樹脂材料であることが好ましい。しかし、異なる樹脂材料であっても可能である。
またカンバス部材１０ａをガラス材料とし、このガラス材料が溶融樹脂材料に浸漬して記念たて本体１０を成形することも可能である。この場合には、樹脂の中にガラスが内在する記念たて本体１０が形成される。
要するにカンバス部材１０ａは、内部模様１１を有する記念たて本体１０が形成できる限りにおいて、透明材料をからなるものであれば可能である。
【００２３】
上記の実施形態の製造方法では記念たての製造方法として説明したが、記念たて以外の記念トロフィー、記念ブローチ等の記念装身具、その他、記念となる物品としての記念品を製造する場合も、同様にして製造を行うことができる。即ち「本体」の製造については、これが記念たての本体であろうが、記念たて以外の記念品の本体であろうが、「本体」としては全く同様に製造することができる。
【図面の簡単な説明】
【００２４】
【図１】本発明の実施形態に係る記念品の斜視図である。
【図２】本発明の実施形態に係る記念品の製造方法を説明する図である。
【符号の説明】
【００２５】
１０    記念たて本体
１０ａ  カンバス部材
１０ｂ  合わせ部材
１１    内部模様
１１ａ  デザイン素材
２０    基台
Ｈ      ヒータ
Ｍ      成形型
Ｍ１    合わせ型
【図１】
2008272136.tif 000003
【図２】
2008272136.tif 000004